(57)【特許請求の範囲】
【請求項１】
交換機と、信号中継局（ＳＴＰ）と、ホスト局及びメイト局として機能する二重化構成のサービス制御局（ＳＣＰ）から構成されるインテリジェントネットワークにおいて、
前記交換機には、信号接続制御部のグローバルタイトルに加入者番号を設定して信号中継局（ＳＴＰ）に信号を送信する信号ルーティング番号設定手段を具備し、
前記信号中継局（ＳＴＰ）には、交換機から受信した信号中のグローバルタイトルの上位所定桁数を基に、信号送信先となるサービス制御局（ＳＣＰ）を特定し、該サービス制御局に前記受信信号を送信する信号ルーティング番号翻訳手段を具備し、
前記サービス制御局（ＳＣＰ）には、
グローバルタイトル毎に自局をホスト局として呼処理を行う加入者データと、メイト局として他局をバックアップする加入者データとを登録する加入者データベースと、
グローバルタイトル毎に、それらに対応するホスト局番号とメイト局番号が記録されたルーティングテーブルと、
自局のサービス制御局（ＳＣＰ）番号を登録する局データと、
前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手段と、
前記導出したホスト局番号とメイト局番号が自局番号に一致するかどうかを判別し、自局が呼処理を実行するか、または受信信号を他局に転送するかを選択する信号ルーティング手段と
を具備することを特徴とするインテリジェントネットワーク。
【請求項２】
前記サービス制御局（ＳＣＰ）には、
前記導出されたホスト局番号が前記自局番号に一致している場合には、自局により呼処理を行う手段と、
前記導出されたメイト局番号が前記自局番号に一致している場合には、対応するホスト局に信号転送を行うと共に、該ホスト局への信号の転送が行えなかった場合は、自局により呼処理を行う手段と、
前記導出されたホスト局番号とメイト局番号の両者が前記自局番号と一致しない場合は、対応するホスト局に信号の転送を行い、ホスト局に信号を転送できなかった場合は、対応するメイト局へ信号を転送する手段と
をさらに具備することを特徴とする請求項１記載のインテリジェントネットワーク。
【請求項３】
ホスト局として管理する加入者データを、他の複数のメイト局に分散して保存する手段と、
各ホスト局と各メイト局に、グローバルタイトルとそれに対応するホスト局番号及びメイト局番号を記録した各局共通のルーティングテーブルを配備する手段とをさらに具備し、
ホスト局とメイト局をＭ：Ｎで構成することを特徴とする請求項１または２記載のインテリジェントネットワーク。
【請求項４】
信号接続制御部のグローバルタイトルに加入者番号を設定する交換機と、グローバルタイトルから信号の送信先となるサービス制御局を特定して信号を中継送信する信号中継局（ＳＴＰ）と、ホスト局及びメイト局として機能する二重化構成のサービス制御局（ＳＣＰ）から構成されるインテリジェントネットワークにおける前記サービス制御局（ＳＣＰ）であって、
グローバルタイトル毎に自局をホスト局として呼処理を行う加入者データと、メイト局として他局をバックアップする加入者データとを登録する加入者データベースと、
グローバルタイトル毎に、それらに対応するホスト局番号とメイト局番号が記録されたルーティングテーブルと、
自局のサービス制御局（ＳＣＰ）番号を登録する局データと、
前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手段と、
前記導出したホスト局番号とメイト局番号が自局番号に一致するかどうかを判別し、自局が呼処理を実行するか、または受信信号を他局に転送するかを選択する信号ルーティング手段とを具備することを特徴とするサービス制御局。
【請求項５】
前記サービス制御局（ＳＣＰ）には、
前記導出されたホスト局番号が前記自局番号に一致している場合には、自局により呼処理を行う手段と、
前記導出されたメイト局番号が前記自局番号に一致している場合には、対応するホスト局に信号転送を行うと共に、該ホスト局への信号の転送が行えなかった場合は、自局により呼処理を行う手段と、
前記導出されたホスト局番号とメイト局番号の両者が前記自局番号と一致しない場合は、対応するホスト局に信号の転送を行い、ホスト局に信号を転送できなかった場合は、対応するメイト局へ信号を転送する手段と
をさらに具備することを特徴とする請求項４記載のサービス制御局。
【請求項６】
交換機と、信号中継局（ＳＴＰ）と、ホスト局及びメイト局として機能する二重化構成のサービス制御局（ＳＣＰ）から構成されるインテリジェントネットワークにおける呼処理と信号ルーティング方法において、
前記交換機により、
信号接続制御部のグローバルタイトルに加入者番号を設定して信号中継局（ＳＴＰ）に信号を送信する信号ルーティング番号設定手順が行われ、
前記信号中継局（ＳＴＰ）により、
交換機から受信した信号中のグローバルタイトルの上位所定桁数を基に、信号送信先となるサービス制御局（ＳＣＰ）を特定し、該サービス制御局に前記受信信号を送信する信号ルーティング番号翻訳手順が行われ、
前記サービス制御局（ＳＣＰ）により、
グローバルタイトル毎に自局をホスト局として呼処理を行う加入者データと、メイト局として他局をバックアップする加入者データとを加入者データベースに登録する手順と、
グローバルタイトル毎に、それらに対応するホスト局番号とメイト局番号とをルーティングテーブルに登録する手順と、
自局のサービス制御局（ＳＣＰ）番号を局データとして登録する手順と、
前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手順と、
前記導出したホスト局番号とメイト局番号が自局番号に一致するかどうかを判別し、自局が呼処理を実行するか、または受信信号を他局に転送するかを選択する信号ルーティング手順と
が行われることを特徴とするインテリジェントネットワークにおける呼処理と信号ルーティング方法。
【請求項７】
前記サービス制御局（ＳＣＰ）により、
前記導出されたホスト局番号が前記自局番号に一致している場合には、自局により呼処理を行う手順と、
前記導出されたメイト局番号が前記自局番号に一致している場合には、対応するホスト局に信号転送を行うと共に、ホスト局への信号転送が行えなかった場合は、自局により呼処理を行う手順と、
前記導出されたホスト局番号とメイト局番号の両者が前記自局番号と一致しない場合は、対応するホスト局に信号の転送を行い、ホスト局に信号を転送できなかった場合は、対応するメイト局へ信号を転送する手順と
がさらに行われることを特徴とする請求項６記載のインテリジェントネットワークにおける呼処理と信号ルーティング方法。
【請求項８】
ホスト局として管理する加入者データを、他の複数のメイト局に分散して保存する手順と、
各ホスト局と各メイト局に、グローバルタイトルとそれに対応するホスト局番号及びメイト局番号を記録した各局共通のルーティングテーブルを配備する手順とをさらに含み、
ホスト局とメイト局をＭ：Ｎで構成することを特徴とする請求項６または請求項７記載のインテリジェントネットワークにおける呼処理と信号ルーティング方法。
【請求項９】
信号接続制御部のグローバルタイトルに加入者番号を設定する交換機と、グローバルタイトルから信号の送信先となるサービス制御局を特定して信号を中継送信する信号中継局（ＳＴＰ）と、ホスト局及びメイト局として機能する二重化構成のサービス制御局（ＳＣＰ）から構成されるインテリジェントネットワークにおける前記サービス制御局の呼処理と信号ルーティング方法であって、
グローバルタイトル毎に自局をホスト局として呼処理を行う加入者データと、メイト局として他局をバックアップする加入者データとを加入者データベースに登録する手順と、
グローバルタイトル毎に、それらに対応するホスト局番号とメイト局番号とをルーティングテーブルに登録する手順と、
自局のサービス制御局（ＳＣＰ）番号を局データとして登録する手順と、
前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手順と、
前記導出したホスト局番号とメイト局番号が自局番号に一致するかどうかを判別し、自局が呼処理を実行するか、または受信信号を他局に転送するかを選択する信号ルーティング手順と
を含むことを特徴とするサービス制御局の呼処理と信号ルーティング方法。
【請求項１０】
前記サービス制御局（ＳＣＰ）により、
前記導出されたホスト局番号が前記自局番号に一致している場合には、自局により呼処理を行う手順と、
前記導出されたメイト局番号が前記自局番号に一致している場合には、対応するホスト局に信号転送を行うと共に、ホスト局への信号の転送が行えなかった場合は、自局により呼処理を行う手順と、
前記導出されたホスト局番号とメイト局番号の両者が前記自局番号と一致しない場合は、対応するホスト局に信号の転送を行い、ホスト局に信号を転送できなかった場合は、対応するメイト局へ信号を転送する手順と
がさらに行われることを特徴とする請求項９記載のサービス制御局の呼処理と信号ルーティング方法。
【請求項１１】
交換機と、信号中継局（ＳＴＰ）と、ホスト局及びメイト局として機能する二重化構成のサービス制御局（ＳＣＰ）から構成されるインテリジェントネットワークにおける前記サービス制御局（ＳＣＰ）内のコンピュータに、
グローバルタイトル毎に自局をホスト局として呼処理を行う加入者データと、メイト局として他局をバックアップする加入者データとを加入者データベースに登録する手順と、
グローバルタイトル毎に、それらに対応するホスト局番号とメイト局番号とをルーティングテーブルに登録する手順と、
自局のサービス制御局（ＳＣＰ）番号を局データとして登録する手順と、
前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手順と、
前記導出したホスト局番号とメイト局番号が自局番号に一致するかどうかを判別し、自局が呼処理を実行するか、または受信信号を他局に転送するかを選択する信号ルーティング手順と
を実行させるためプログラムを記録したコンピュータ読み取り可能な記録媒体。
【請求項１２】
交換機と、信号中継局（ＳＴＰ）と、ホスト局及びメイト局として機能する二重化構成のサービス制御局（ＳＣＰ）から構成されるインテリジェントネットワークにおける前記サービス制御局（ＳＣＰ）内のコンピュータに、
グローバルタイトル毎に自局をホスト局として呼処理を行う加入者データと、メイト局として他局をバックアップする加入者データとを加入者データベースに登録する手順と、
グローバルタイトル毎に、それらに対応するホスト局番号とメイト局番号とをルーティングテーブルに登録する手順と、
自局のサービス制御局（ＳＣＰ）番号を局データとして登録する手順と、
前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手順と、
前記導出したホスト局番号とメイト局番号が自局番号に一致するかどうかを判別し、自局が呼処理を実行するか、または受信信号を他局に転送するかを選択する信号ルーティング手順と
を実行させるためのコンピュータプログラム。
【発明の詳細な説明】
【０００１】
【発明の属する技術分野】
本発明は、交換機、信号中継局（Ｓｉｇｎａｌｌｉｎｇ  Ｔｒａｎｓｆｅｒ  Ｐｏｉｎｔ：ＳＴＰ）、及びサービス制御局（Ｓｅｒｖｉｃｅ  Ｃｏｎｔｒｏｌ  Ｐｏｉｎｔ：ＳＣＰ）から構成されるインテリジェントネットワークに関し、特に、交換機から、信号接続制御部（Ｓｉｇｎａｌｌｉｎｇ  Ｃｏｎｎｅｃｔｉｏｎ  Ｃｏｎｔｒｏｌ  Ｐａｒｔ：ＳＣＣＰ）のグローバルタイトルに加入者番号を設定することで、呼処理を実施するサービス制御局（ＳＣＰ）にアクセスを可能とするインテリジェントネットワーク、サービス制御局（ＳＣＰ）、及び呼処理と信号ルーテイング方法に関する。
【０００２】
【従来の技術】
従来の交換機、信号中継局（ＳＴＰ）、サービス制御局（ＳＣＰ）から構成されるインテリジェントネットワーク（ＩＮ）においては、より高度で便利な通信サービスを提供するために、サービス制御局（ＳＣＰ）に、以下の機能を内蔵させている。
（１）ホスト局とメイト局（バックアップ用）として機能するサービス制御局（ＳＣＰ）の二重化構成に対応した呼処理及び信号ルーテイングを実現する機能
（２）また、サービス制御局（ＳＣＰ）の単独構成時に、信号中継局（ＳＴＰ）でグローバルタイトル（上位５〜７桁）より特定された信号送信先のサービス制御局（ＳＣＰ）に加入者データがなかった場合、当該サービス制御局（ＳＣＰ）にてグローバルタイトル（全桁）をルーティングテーブルにより検索し、加入者データのあるサービス制御局（ＳＣＰ）を特定して呼転送を行う機能
【０００３】
しかしながら、従来のサービス制御局（ＳＣＰ）では、上記（１）のバックアップ機能と（２）の呼転送機能が複合的に配備された構成にすることは実現できておらず、そのため、インテリジェントネットワーク（ＩＮ）を構築する際に不便さがあり、また、呼処理及び信号ルーテイング機能の処理効率が低下していた。
【０００４】
また、上記（１）のホスト−メイトのバックアップ機能においては、ホスト局１台に対してメイト局１台を決定するといったように、ホスト局とメイト局は１：１の関係が前提であり、Ｍ台のホスト局の加入者データをＮ台のメイト局に配備して相互にバックアップするといった、ホスト局とメイト局のＭ：Ｎ構成（ＭとＮは自由に設定可能）には対応できていおらず、インテリジェントネットワーク（ＩＮ）におけるバックアップ体制を構築する際の自由度が少なかった。
【０００５】
【発明が解決しようとする課題】
本発明は、上記課題に鑑みてなされたものであり、上述したサービス制御局（ＳＣＰ）におけるバックアップ機能と呼転送機能を複合化すると共に、ホスト局とメイト局をＭ：Ｎで構成し、ホスト局の加入者データを、任意のメイト局に保存することを可能にするインテリジェントネットワーク、サービス制御局（ＳＣＰ）、及び呼処理と信号ルーテイング方法を提供することを目的とする。
【０００６】
【課題を解決するための手段】
この発明は、上述した課題を解決すべくなされたものであり、本発明におけるインテリジェントネットワークにおいては、交換機と、信号中継局（ＳＴＰ）と、ホスト局及びメイト局として機能する二重化構成のサービス制御局（ＳＣＰ）から構成されるインテリジェントネットワークにおいて、前記交換機には、信号接続制御部のグローバルタイトルに加入者番号を設定して信号中継局（ＳＴＰ）に信号を送信する信号ルーティング番号設定手段を具備し、前記信号中継局（ＳＴＰ）には、交換機から受信した信号中のグローバルタイトルの上位所定桁数を基に、信号送信先となるサービス制御局（ＳＣＰ）を特定し、該サービス制御局に前記受信信号を送信する信号ルーティング番号翻訳手段を具備し、前記サービス制御局（ＳＣＰ）には、グローバルタイトル毎に自局をホスト局として呼処理を行う加入者データと、メイト局として他局をバックアップする加入者データとを登録する加入者データベースと、グローバルタイトル毎に、それらに対応するホスト局番号とメイト局番号が記録されたルーティングテーブルと、自局のサービス制御局（ＳＣＰ）番号を登録する局データと、前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手段と、前記導出したホスト局番号とメイト局番号が自局番号に一致するかどうかを判別し、自局が呼処理を実行するか、または受信信号を他局に転送するかを選択する信号ルーティング手段とを具備することを特徴とする。
【０００７】
これにより、サービス制御局（ＳＣＰ）を、ホスト局及びメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行うことができる。このため、インテリジェントネットワークを効果的に構築できる。また、インテリジェントネットワークにおける呼処理と信号ルーティングが効率的に行える。
【０００８】
また、本発明のインテリジェントネットワークにおいては、前記サービス制御局（ＳＣＰ）には、前記導出されたホスト局番号が前記自局番号に一致している場合には、自局により呼処理を行う手段と、前記導出されたメイト局番号が前記自局番号に一致している場合には、対応するホスト局に信号転送を行うと共に、該ホスト局への信号の転送が行えなかった場合は、自局により呼処理を行う手段と、前記導出されたホスト局番号とメイト局番号の両者が前記自局番号と一致しない場合は、対応するホスト局に信号の転送を行い、ホスト局に信号を転送できなかった場合は、対応するメイト局へ信号を転送する手段とをさらに具備することを特徴とする。
【０００９】
これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行うことができる。このため、インテリジェントネットワークを効果的に構築できる。また、インテリジェントネットワークにおける呼処理と信号ルーティングが効率的に行える。
【００１０】
また、本発明のインテリジェントネットワークにおいては、ホスト局として管理する加入者データを、他の複数のメイト局に分散して保存する手段と、各ホスト局と各メイト局に、グローバルタイトルとそれに対応するホスト局番号及びメイト局番号を記録した各局共通のルーティングテーブルを配備する手段とをさらに具備し、ホスト局とメイト局をＭ：Ｎで構成することを特徴とする。
【００１１】
これにより、ホスト局とメイト局の間の対応関係には制約がなくなり、グローバルタイトル毎に加入者データの配備先を自由に決定でき、Ｍ台のホスト局の加入者データ（メイト）をＮ台のメイト局でバックアップする「Ｍ：Ｎ構成」が可能になる。従って、ネットワーク上でのホスト局とメイト局の構成の自由度が高まる。また、インテリジェントネットワークを効果的に構築できる。またさらに、インテリジェントネットワークにおける呼処理と信号ルーティングが効率的に行える。
【００１２】
また、本発明のサービス制御局（ＳＣＰ）においては、信号接続制御部のグローバルタイトルに加入者番号を設定する交換機と、グローバルタイトルから信号の送信先となるサービス制御局を特定して信号を中継送信する信号中継局（ＳＴＰ）と、ホスト局及びメイト局として機能する二重化構成のサービス制御局（ＳＣＰ）から構成されるインテリジェントネットワークにおける前記サービス制御局（ＳＣＰ）であって、グローバルタイトル毎に自局をホスト局として呼処理を行う加入者データと、メイト局として他局をバックアップする加入者データとを登録する加入者データベースと、グローバルタイトル毎に、それらに対応するホスト局番号とメイト局番号が記録されたルーティングテーブルと、自局のサービス制御局（ＳＣＰ）番号を登録する局データと、前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手段と、前記導出したホスト局番号とメイト局番号が自局番号に一致するかどうかを判別し、自局が呼処理を実行するか、または受信信号を他局に転送するかを選択する信号ルーティング手段とを具備することを特徴とする。
【００１３】
これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行うことができる。このため、サービス制御局（ＳＣＰ）とインテリジェントネットワークにおける呼処理と信号ルーティングが効率的に行えるようになる。
【００１４】
また、本発明のサービス制御局（ＳＣＰ）においては、前記サービス制御局（ＳＣＰ）には、前記導出されたホスト局番号が前記自局番号に一致している場合には、自局により呼処理を行う手段と、前記導出されたメイト局番号が前記自局番号に一致している場合には、対応するホスト局に信号転送を行うと共に、該ホスト局への信号の転送が行えなかった場合は、自局により呼処理を行う手段と、前記導出されたホスト局番号とメイト局番号の両者が前記自局番号と一致しない場合は、対応するホスト局に信号の転送を行い、ホスト局に信号を転送できなかった場合は、対応するメイト局へ信号を転送する手段とをさらに具備することを特徴とする。
【００１５】
これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行うことできる。このため、サービス制御局（ＳＣＰ）とインテリジェントネットワークにおける呼処理と信号ルーティングが効率的に行えるようになる。
【００１６】
また、本発明のインテリジェントネットワークにおける呼処理と信号ルーティング方法は、交換機と、信号中継局（ＳＴＰ）と、ホスト局及びメイト局として機能する二重化構成のサービス制御局（ＳＣＰ）から構成されるインテリジェントネットワークにおける呼処理と信号ルーティング方法において、前記交換機により、信号接続制御部のグローバルタイトルに加入者番号を設定して信号中継局（ＳＴＰ）に信号を送信する信号ルーティング番号設定手順が行われ、前記信号中継局（ＳＴＰ）により、交換機から受信した信号中のグローバルタイトルの上位所定桁数を基に、信号送信先となるサービス制御局（ＳＣＰ）を特定し、該サービス制御局に前記受信信号を送信する信号ルーティング番号翻訳手順が行われ、前記サービス制御局（ＳＣＰ）により、グローバルタイトル毎に自局をホスト局として呼処理を行う加入者データと、メイト局として他局をバックアップする加入者データとを加入者データベースに登録する手順と、グローバルタイトル毎に、それらに対応するホスト局番号とメイト局番号とをルーティングテーブルに登録する手順と、自局のサービス制御局（ＳＣＰ）番号を局データとして登録する手順と、前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手順と、前記導出したホスト局番号とメイト局番号が自局番号に一致するかどうかを判別し、自局が呼処理を実行するか、または受信信号を他局に転送するかを選択する信号ルーティング手順とが行われることを特徴とする。
【００１７】
これにより、サービス制御局（ＳＣＰ）を、ホスト局及びメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行うことができる。そのため、インテリジェントネットワークを効果的に構築できる。また、インテリジェントネットワークにおける呼処理と信号ルーティングが効率的に行える。
【００１８】
また、本発明のインテリジェントネットワークにおける呼処理と信号ルーティング方法は、前記サービス制御局（ＳＣＰ）により、前記導出されたホスト局番号が前記自局番号に一致している場合には、自局により呼処理を行う手順と、前記導出されたメイト局番号が前記自局番号に一致している場合には、対応するホスト局に信号転送を行うと共に、ホスト局への信号転送が行えなかった場合は、自局により呼処理を行う手順と、前記導出されたホスト局番号とメイト局番号の両者が前記自局番号と一致しない場合は、対応するホスト局に信号の転送を行い、ホスト局に信号を転送できなかった場合は、対応するメイト局へ信号を転送する手順とがさらに行われることを特徴とする。
【００１９】
これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行うことができる。このため、インテリジェントネットワークを効果的に構築できる。また、インテリジェントネットワークにおける呼処理と信号ルーティングが効率的に行える。
【００２０】
また、本発明のインテリジェントネットワークにおける呼処理と信号ルーティング方法は、ホスト局として管理する加入者データを、他の複数のメイト局に分散して保存する手順と、各ホスト局と各メイト局に、グローバルタイトルとそれに対応するホスト局番号及びメイト局番号を記録した各局共通のルーティングテーブルを配備する手順とをさらに含み、ホスト局とメイト局をＭ：Ｎで構成することを特徴とする。
【００２１】
これにより、ホスト局とメイト局の間の対応関係には制約がなくなり、グローバルタイトル毎に加入者データの配備先を自由に決定でき、Ｍ台のホスト局の加入者データ（メイト）をＮ台のメイト局でバックアップする「Ｍ：Ｎ構成」が可能になる。従って、ネットワーク上でのホスト局とメイト局の構成の自由度が高まる。また、インテリジェントネットワークを効果的に構築できる。またさらに、インテリジェントネットワークにおける呼処理と信号ルーティングが効率的に行える。
【００２２】
また、本発明のサービス制御局（ＳＣＰ）の呼処理と信号ルーティング方法は、信号接続制御部のグローバルタイトルに加入者番号を設定する交換機と、グローバルタイトルから信号の送信先となるサービス制御局を特定して信号を中継送信する信号中継局（ＳＴＰ）と、ホスト局及びメイト局として機能する二重化構成のサービス制御局（ＳＣＰ）から構成されるインテリジェントネットワークにおける前記サービス制御局の呼処理と信号ルーティング方法であって、グローバルタイトル毎に自局をホスト局として呼処理を行う加入者データと、メイト局として他局をバックアップする加入者データとを加入者データベースに登録する手順と、グローバルタイトル毎に、それらに対応するホスト局番号とメイト局番号とをルーティングテーブルに登録する手順と、自局のサービス制御局（ＳＣＰ）番号を局データとして登録する手順と、前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手順と、前記導出したホスト局番号とメイト局番号が自局番号に一致するかどうかを判別し、自局が呼処理を実行するか、または受信信号を他局に転送するかを選択する信号ルーティング手順とを含むことを特徴とする。
【００２３】
これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行うことができる。このため、サービス制御局（ＳＣＰ）とインテリジェントネットワークにおける呼処理と信号ルーティングが効率的に行えるようになる。
【００２４】
また、本発明のサービス制御局（ＳＣＰ）の呼処理と信号ルーティング方法は、前記サービス制御局（ＳＣＰ）により、前記導出されたホスト局番号が前記自局番号に一致している場合には、自局により呼処理を行う手順と、前記導出されたメイト局番号が前記自局番号に一致している場合には、対応するホスト局に信号転送を行うと共に、ホスト局への信号の転送が行えなかった場合は、自局により呼処理を行う手順と、前記導出されたホスト局番号とメイト局番号の両者が前記自局番号と一致しない場合は、対応するホスト局に信号の転送を行い、ホスト局に信号を転送できなかった場合は、対応するメイト局へ信号を転送する手順とがさらに行われることを特徴とする。
【００２５】
これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行うことできる。このため、サービス制御局（ＳＣＰ）とインテリジェントネットワークにおける呼処理と信号ルーティングが効率的に行えるようになる。
【００２６】
また、本発明のコンピュータ読み取り可能な記録媒体は、交換機と、信号中継局（ＳＴＰ）と、ホスト局及びメイト局として機能する二重化構成のサービス制御局（ＳＣＰ）から構成されるインテリジェントネットワークにおける前記サービス制御局（ＳＣＰ）内のコンピュータに、グローバルタイトル毎に自局をホスト局として呼処理を行う加入者データと、メイト局として他局をバックアップする加入者データとを加入者データベースに登録する手順と、グローバルタイトル毎に、それらに対応するホスト局番号とメイト局番号とをルーティングテーブルに登録する手順と、自局のサービス制御局（ＳＣＰ）番号を局データとして登録する手順と、前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手順と、前記導出したホスト局番号とメイト局番号が自局番号に一致するかどうかを判別し、自局が呼処理を実行するか、または受信信号を他局に転送するかを選択する信号ルーティング手順とを実行させるためプログラムを記録したコンピュータ読み取り可能な記録媒体である。
【００２７】
また、本発明のコンピュータプログラムは、交換機と、信号中継局（ＳＴＰ）と、ホスト局及びメイト局として機能する二重化構成のサービス制御局（ＳＣＰ）から構成されるインテリジェントネットワークにおける前記サービス制御局（ＳＣＰ）内のコンピュータに、グローバルタイトル毎に自局をホスト局として呼処理を行う加入者データと、メイト局として他局をバックアップする加入者データとを加入者データベースに登録する手順と、グローバルタイトル毎に、それらに対応するホスト局番号とメイト局番号とをルーティングテーブルに登録する手順と、自局のサービス制御局（ＳＣＰ）番号を局データとして登録する手順と、前記信号中継局（ＳＴＰ）から受信した受信信号中のグローバルタイトルを基に、前記ルーティングテーブルを検索し、該受信信号に対するホスト局番号とメイト局番号を導出するルーティングテーブル検索手順と、前記導出したホスト局番号とメイト局番号が自局番号に一致するかどうかを判別し、自局が呼処理を実行するか、または受信信号を他局に転送するかを選択する信号ルーティング手順とを実行させるためのコンピュータプログラムである。
【００２８】
【発明の実施の形態】
図１は本発明によるインテリジェントネットワーク（ＩＮ）の構成例を示す図であり、１は共通線信号網、１０は交換機、１２は信号中継局（ＳＴＰ）、１４はサービス制御局（ＳＣＰ）を示している。なお、図１において、交換機、信号中継局（ＳＴＰ）、サービス制御局（ＳＣＰ）は代表的に２つのみを示しているが、実際にはより多数のもので構成される場合がある。
【００２９】
また、図２はインテリジェントネットワーク（ＩＮ）を構成する各システムの機能構成例を示す図である。図２において、交換器１０には信号ルーティング番号設定機能１１が備わっており、信号中継局（ＳＴＰ）１２には信号ルーティング番号翻訳機能１３が備わっている。また、サービス制御局（ＳＣＰ）１４には信号ルーティング機能１５、ルーティングテーブル検索機能１５ａ、局番号比較機能１５ｂ、信号処理方法判断機能１５ｃ、信号転送機能１５ｄ、呼処理機能１６、データベース２０が備わっている。なお、図２において、交換機、信号中継局（ＳＴＰ）、サービス制御局（ＳＣＰ）は代表的に２つのみを示しているが、実際にはより多数のもので構成される場合がある。
【００３０】
図２において、サービス制御局（ＳＣＰ）１４内のデータベース２０には、ルーティングテーブル２１、加入者データベース２２、局データ２３が含まれている。
・加入者データベース２２には、図４の加入者データベースの例を示す図に例示するように、サービス制御局（ＳＣＰ）１４自身がホスト局として呼処理を行う加入者データ（ホスト）３１と、メイト局としてバックアップする加入者データ（メイト）３２が記録されている。
・局データ２３は、図５の局データの例を示す図に例示するように、各サービス制御局（ＳＣＰ）１４を識別するために設定される局番号であり、本例の場合は局番号として「＃１」が設定されている。
・ルーティングテーブル２１には、図６のルーティングテーブルの例を示す図に例示するように、グローバルタイトル毎に対応するホスト局番号とメイト局番号が設定されている。
【００３１】
また、図２に示す交換機１０において、
・信号ルーティング番号設定機能１１は、交換機１０からグローバルタイトルとして主に加入者番号を設定し、信号中継局（ＳＴＰ）１２に向けて信号を送信する機能である。
【００３２】
また、図２に示す信号中継局（ＳＴＰ）１２において、
・信号ルーティング番号翻訳機能１３は、交換機１０から信号中継局（ＳＴＰ）１２が受信した信号のグローバルタイトルの上位５〜７桁程度（桁数に制限があり全桁参照しない場合）を基に、送信先となるサービス制御局（ＳＣＰ）１４を特定し、信号送信する機能である。
【００３３】
また、図２に示すサービス制御局（ＳＣＰ）１４において、信号ルーティング機能１５には、以下のような機能が含まれている。
・ルーティングテーブル検索機能１５ａは、信号中継局（ＳＴＰ）１２から受信した受信信号中のグローバルタイトルを基に、ルーティングテーブル２１を検索し、受信信号に対するホスト局番号とメイト局番号を導出する。
・局番号比較機能１５ｂは、局データ２３を参照し、ホスト局番号またはメイト局番号が自局番号と一致するかどうかを判別する。
・信号処理方法判断機能１５ｃは、局番号比較機能１５ｂにおける比較結果を基に、自局が呼処理を実行するか、または受信信号を他局に転送するかを判断する。また、呼処理機能１６及び信号転送機能１５ｄを起動する機能を有する。
・信号転送機能１５ｄは、信号中継局（ＳＴＰ）１２から受信した信号を他のサービス制御局（ＳＣＰ）１４に転送する機能である。
・呼処理機能１６は、信号ルーティング機能１５から起動され、加入者データベース２２にアクセスし、呼処理を行う機能を持っている。
【００３４】
また、図３は、本発明によるサービス制御局（ＳＣＰ）１４の構成例を示す図であり、本発明に直接関係する部分についてのみ示したものである。図３において、１０１はサービス制御局（ＳＣＰ）１４を共通信号網１と接続する通信用インタフェース、１０２はサービス制御局（ＳＣＰ）１４を統括制御する制御部、１１０は処理プログラム部、１２０はデータベースを示している。なお、本実施形態では、サービス制御局（ＳＣＰ）１４は、サーバ等のコンピュータであるものとして説明する。
【００３５】
図３において、処理プログラム部１１０には、以下の処理部が含まれる。
・データベース検索処理部１１１は、ルーティングテーブル２１、加入者データベース２２、及び局データ２３を検索する処理を行う。例えば、受信したグローバルタイトルからルーティングテーブル２１を検索し、ホスト局番号とメイト局番号を導出する処理を行う。
・局番号比較処理部１１２は、局データ２３に記録された自局番号が、ルーティングテーブル２１から導出されたホスト局番号またはメイト局番号と一致するかどうかを判別する。
・信号処理方法判断処理部１１３は、局番号比較処理部１１２における比較結果を基に、自局が呼処理を実行するか、または受信信号を他局に転送するかを判断する。また、信号転送処理部１１４及び呼処理部１１５を起動する処理を行う。
・信号転送処理部１１４は、信号中継局（ＳＴＰ）１２又は他のサービス制御局（ＳＣＰ）から受信した信号を、他のサービス制御局（ＳＣＰ）に転送する処理を行う。
・呼処理部１１５は、加入者データベース２２にアクセスし、呼処理を実行する処理部である。
・データベース登録処理部１１６は、データベース２０へのデータの登録を行う処理部である。
【００３６】
なお、処理プログラム部１１０は専用のハードウエアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリにロードして実行することによりその機能を実現させるものであってもよい。また、このサーバには、周辺機器として入力装置、表示装置等（いずれも表示せず）が接続されているものとする。ここで、入力装置としては、キーボード、マウス等の入力デバイスのことをいう。表示装置とは、ＣＲＴ（Ｃａｔｈｏｄｅ  Ｒａｙ  Ｔｕｂｅ）や液晶表示装置等のことをいう。
【００３７】
また、データベース２０内には、「ルーティングテーブル２１」、「加入者データベース２２」、「局データ２３」が含まれている。これらのデータの内容については、前述の図２の説明おいて既に説明したので、その説明は省略する。
【００３８】
次に、図２に示す本発明によるインテリジェントネットワークにおける動作の流れについて、具体的な例を用いて説明する。
【００３９】
［受信信号をホスト局として処理する場合］
図７は、サービス制御局（ＳＣＰ）が受信信号をホスト局として処理する場合の動作を示す図であり、サービス制御局（ＳＣＰ）１４が、信号中継局（ＳＴＰ）１２から受信した信号を「ホスト局として処理することが必要である」と判別された場合の処理の流れについて示している。なお、図７において、サービス制御局（ＳＣＰ）１４は、他のサービス制御局（ＳＣＰ）からの信号転送により信号を受信する場合もある。
【００４０】
また、図８は、受信信号をホスト局として処理する場合のサービス制御局（ＳＣＰ）における動作を示す図であり、図８中の「矢付線Ａ、矢付線Ｂ、矢付線Ｃ、矢付線Ｄ、矢付線Ｅ」の順序で動作する。なお、図８に示す例においては、交換機１０及び信号中継局（ＳＴＰ）１２における処理は示していない。
【００４１】
以下、図７を基に、本例の動作の流れについて説明する。
（１）例えば、交換機１０の信号ルーティング番号設定機能１１により、グローバルタイトルとして「０１２０−１１１−１１１１」を設定し、信号中継局（ＳＴＰ）１２に送信する（ステップＳ１１）。
【００４２】
（２）信号中継局（ＳＴＰ）１２では、信号ルーティング番号翻訳機能１３により、受信信号のグローバルタイトルの上位５〜７桁程度を基に、信号の送信先となるサービス制御局（ＳＣＰ）１４を特定し信号送信を行う（ステップＳ１２）。
【００４３】
（３）信号中継局（ＳＴＰ）１２からの信号を受信したサービス制御局（ＳＣＰ）１４では、信号ルーティング機能１５が起動され、グローバルタイトル「０１２０−１１１−１１１１」を基に、図８中に示すルーティングテーブル２１ａを検索し、その結果としてホスト局番号（＃１）とメイト局番号（＃２）を得る（ステップＳ１３）。
【００４４】
（４）また、サービス制御局（ＳＣＰ）１４内の信号ルーティング機能１５は、図８中に示す局データ２３ａを参照し、ホスト局番号及びメイト局番号と自局番号を比較し、その結果が「ホスト局番号（＃１）＝自ＳＣＰ番号（＃１）」であることから、「受信した信号をホスト局として処理する必要がある」ことを判別し、呼処理機能１６を起動する（ステップＳ１４）。起動された呼処理機能１６は加入者データベース２２ａ（図８）に登録された加入者データ（ホスト）３１ａ内の「０１２０−１１１−１１１１」にアクセスし、呼処理を実行する（ステップＳ１５）。
【００４５】
次に、図８を基に、本例におけるサービス制御局（ＳＣＰ）１４内での動作の流れについて説明する。
（１）サービス制御局（ＳＣＰ）１４は、グローバルタイトル「０１２０−１１１−１１１１」の信号を受信する（矢付線Ａ）。
（２）サービス制御局（ＳＣＰ）１４内の信号ルーティング機能１５の動作により、ルーティングテーブル２１ａを検索し、グローバルタイトル「０１２０−１１１−１１１１」に対応するホスト局番号（＃１）とメイト局番号（＃２）を導出する（矢付線Ｂ）。
（３）局データ２３ａを参照し、「ホスト局番号（＃１）＝自ＳＣＰ番号（＃１）」を確認する（矢付線Ｃ）。
（４）自局で、呼処理を行うために、呼処理機能１６を起動する（矢付線Ｄ）。
（５）呼処理機能１６が起動され、加入者データ（ホスト）３１ａの「０１２０−１１１−１１１１」に対してアクセスする（矢付線Ｅ）。
【００４６】
［受信信号をメイト局として処理する場合］
図９は、サービス制御局（ＳＣＰ）が受信信号をメイト局として処理する場合の動作を示す図であり、サービス制御局（ＳＣＰ）１４が信号中継局（ＳＴＰ）１２から受信した信号を「メイト局として処理する必要がある」と判別された場合の処理の流れについて示すものである。なお、図９においては、サービス制御局（ＳＣＰ）１４は信号中継局（ＳＴＰ）１２から信号を受信しているが、他のサービス制御局（ＳＣＰ）からの信号転送により信号を受信する場合もある。
【００４７】
また、図１０は、受信信号をメイト局として処理する場合のサービス制御局（ＳＣＰ）における動作を示す図であり、図中の「矢付線Ａ、矢付線Ｂ、矢付線Ｃ、矢付線Ｄ、矢付線Ｅ、矢付線Ｆ」の順序で動作する。なお、図１０に示す例においては、交換機１０及び信号中継局（ＳＴＰ）１２における処理は示していない。
【００４８】
以下、図９を基に、本例の動作の流れについて説明する。
（１）例えば、交換機１０の信号ルーティング番号設定機能１１により、グローバルタイトルとして「０１２０−２２２−１１１１」を設定し、信号中継局（ＳＴＰ）１２に送信する（ステップＳ２１）。
【００４９】
（２）信号中継局（ＳＴＰ）１２では、信号ルーティング番号翻訳機能１３により、受信信号のグローバルタイトルの上位５〜７桁程度を基に、信号の送信先となるサービス制御局（ＳＣＰ）１４を特定し信号送信を行う（ステップＳ２２）。
【００５０】
（３）信号中継局（ＳＴＰ）１２からの信号を受信したサービス制御局（ＳＣＰ）１４では、信号ルーティング機能１５が起動され、グローバルタイトル「０１２０−２２２−１１１１」を基に、図１０中に示すルーティングテーブル２１ａを検索し、その結果としてホスト局番号（＃２）とメイト局番号（＃１）を得る（ステップＳ２３）。
【００５１】
（４）信号ルーティング機能１５は、図１０中に示す局データ２３ａを参照し、ホスト局番号及びメイト局番号と自局番号を比較し、その結果が「メイト局番号（＃１）＝自ＳＣＰ番号（＃１）」であることから、「受信した信号をメイト局として処理する」ことを判別し、＃２のホスト局に向けて信号転送を行う（ステップＳ２４）。ただし、ホスト局（＃２）に信号転送ができなかった場合、信号ルーテイング機能１５は自局で呼処理を行うため呼処理機能１６を起動する（ステップＳ２５）。
【００５２】
（５）起動された呼処理機能１６は、加入者データベース２２ａ（図１０）の加入者データ（メイト）３２ａに記録された加入者番号「０１２０−２２２−１１１１」にアクセスし、呼処理を実行する（ステップＳ２６）。
【００５３】
次に、図１０を基に、本例におけるサービス制御局（ＳＣＰ）１４内での動作の流れについて説明する。
（１）サービス制御局（ＳＣＰ）１４は、グローバルタイトル「０１２０−２２２−１１１１」の信号を受信する（矢付線Ａ）。
（２）サービス制御局（ＳＣＰ）１４内の信号ルーティング機能１５の動作により、ルーティングテーブル２１ａを検索し、グローバルタイトル「０１２０−２２２−１１１１」に対応するホスト局番号（＃２）とメイト局番号（＃１）を導出する（矢付線Ｂ）。
（３）局データ２３を参照し、「メイト局番号（＃１）＝自ＳＣＰ番号（＃１）」を確認する（矢付線Ｃ）。
（４）ホスト局（＃２）に向けて、信号転送を行う（矢付線Ｄ）。
（５）ホスト局（＃２）に転送できなかった場合は、呼処理機能１６を起動する（矢付線Ｅ）。
（６）呼処理機能１６が起動され、加入者データ（メイト）３１ａの「０１２０−２２２−１１１１」に対してアクセスする（矢付線Ｆ）。
【００５４】
［ホスト局及びメイト局以外と判断された場合の処理］
図１１は、サービス制御局（ＳＣＰ）がホスト局及びメイト局以外と判断された場合の動作を示す図であり、処理サービス制御局（ＳＣＰ）１４で受信した信号を「ホスト局、メイト局以外として処理する必要がある」と判別された場合の処理の流れについて説明するための図である。なお、図１１においてサービス制御局（ＳＣＰ）１４は信号中継局（ＳＴＰ）１２から信号を受信しているが、他のサービス制御局（ＳＣＰ）からの信号転送により信号を受信する場合もある。
【００５５】
また、図１２は、ホスト局及びメイト局以外と判断された場合のサービス制御局（ＳＣＰ）における動作例を示す図であり、サービス制御局（ＳＣＰ）内での処理の流れを示しており、図１２中の「矢付線Ａ、矢付線Ｂ、矢付線Ｃ、矢付線Ｄ、矢付線Ｅ」の順序で動作する。なお、図１２に示す例においては、交換機１０及び信号中継局（ＳＴＰ）１２における処理は示していない。
【００５６】
以下、図１１を基に、本例の動作の流れについて説明する。
（１）例えば、交換機１０の信号ルーティング番号設定機能１１により、グローバルタイトルとして「０１２０−３３３−１１１１」を設定し、信号中継局（ＳＴＰ）１２に送信する（ステップＳ３１）。
【００５７】
（２）信号中継局（ＳＴＰ）１２では、信号ルーティング番号翻訳機能１３により、受信信号のグローバルタイトルの上位５〜７桁程度を基に、信号の送信先となるサービス制御局（ＳＣＰ）１４を特定し信号送信を行う（ステップＳ３２）。
【００５８】
（３）信号中継局（ＳＴＰ）からの信号を受信したサービス制御局（ＳＣＰ）１４では、信号ルーティング機能１５が起動され、グローバルタイトル「０１２０−３３３−２２２２」を基に、図１２中に示すルーティングテーブル２１ａを検索し、その結果としてホスト局番号（＃３）とメイト局番号（＃４）を得る（ステップＳ３３）。
【００５９】
（４）信号ルーティング機能１５は、図１２中に示す局データ２３ａを参照し、ホスト局番号及びメイト局番号と自局番号を比較し、その結果が、「ホスト局番号（＃３）≠自ＳＣＰ番号（＃１）」かつ「メイト局番号（＃４）≠自ＳＣＰ番号（＃１）」であることから、受信した信号を「ホスト局、メイト局以外として処理する必要がある」と判別し、ホスト局（＃３）に向けて信号の転送を行う（ステップＳ３４）。ただし、ホスト局（＃３）に信号転送ができなかった場合、信号ルーティング機能１５はメイト局（＃４）に向けて信号転送を行う（ステップＳ３５）。
【００６０】
次に、図１２を基に、本例におけるサービス制御局（ＳＣＰ）１４内での動作の流れについて説明する。
（１）サービス制御局（ＳＣＰ）１４は、グローバルタイトル「０１２０−３３３−１１１１」の信号を受信する（矢付線Ａ）。
（２）サービス制御局（ＳＣＰ）１４内の信号ルーティング機能１５の動作により、ルーティングテーブル２１ａを検索し、グローバルタイトル「０１２０−３３３−１１１１」に対応するホスト局番号（＃３）とメイト局番号（＃４）を導出する（矢付線Ｂ）。
（３）局データ２３を参照し、「ホスト局番号（＃３）≠自ＳＣＰ番号（＃１）」及び「メイト局番号（＃４）≠自ＳＣＰ番号（＃１）」を確認する（矢付線Ｃ）。
（４）ホスト局（＃３）に向けて、信号転送を行う（矢付線Ｄ）。
（５）ホスト局（＃３）に転送できなかった場合は、メイト局（＃４）に信号を転送する（矢付線Ｅ）。
【００６１】
［ホスト局、メイト局がＭ：Ｎ構成の場合の処理］
また、図１３はホスト局とメイト局のＭ：Ｎの構成例を示す図であり、本例では、ホスト局とメイト局とを３：２で構成した例を示している。
すなわち、本例では、各ホスト局の加入者データを、複数のメイト局に分散して保存できるようにする。例えば、ホストＢ中の「０１２０−３００配下の番号」の加入者データを、メイト局Ｄでバックアップし、ホストＢ中の「０１２０−４００配下の番号」の加入者データをメイト局Ｅでバックアップする。
【００６２】
また、図１３中の右下に示す各局共通のルーティングテーブル４１を各サービス制御局（ＳＣＰ）が持つようにする。これにより、いずれのサービス制御局（ＳＣＰ）においても、受信したグローバルタイトルに対応する加入者データのホスト局番号及びメイト局番号が求まり、各局に設定されている自局番号と比較することで、受信した信号を自局で処理すべきか、他局に転送すべきかを判別できる。
【００６３】
このように、各サービス制御局（ＳＣＰ）では、グローバルタイトル毎に自由にホスト局番号とメイト局番号を設定できるようにし、また、グローバルタイトルをキーとして各局共通のルーテイングテーブルを検索し、ホスト局番号とメイト局番号を導出できるようにしたので、ホスト局とメイト局の間の対応関係には制約がなくなり、グローバルタイトル毎に加入者データの配備先を決定できる。
【００６４】
なお、本例では、「ホスト局対メイト局が３：２の構成」の場合を例にとったが、一般的なＭ：Ｎ構成の場合でも、グローバルタイトルをキーにしてホスト局番号（＃）とメイト局番号（＃）を導出できる共通のルーティングテーブルを使用することで、加入者番号毎に加入者データ（ホスト）と、加入者データ（メイト）を保存するサービス制御局（ＳＣＰ）を自由に選択できる。
【００６５】
以上、本発明のインテリジェントネットワークと、サービス制御局（ＳＣＰ）等について説明したが、本発明は上述の図示例にのみ限定されるものではなく、本発明の要旨を逸脱しない範囲内において種々変更を加え得ることは勿論である。
また、上述の実施形態では、サービス制御局（ＳＣＰ）１４はコンピュータであるものとしたが、サービス制御局（ＳＣＰ）１４の機能を実現するためのプログラムを他のコンピュータ実行させてもよい。サービス制御局（ＳＣＰ）とは、上述した機能を提供するコンピュータのことでもあり、上述した機能を提供するコンピュータを備えた場所のことでもある。
【００６６】
また、図３のサービス制御局（ＳＣＰ）１４の機能を実現するためのプログラムをコンピュータ読み取り可能な記録媒体に記録して、この記録媒体に記録されたプログラムをサービス制御局（ＳＣＰ）１４に読み込ませ、実行することにより本発明のサービス制御局（ＳＣＰ）の機能を実現する処理を行ってもよい。
【００６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００６８】
また、上記プログラムは、このプログラムを記憶装置に格納したコンピュータシステムから、伝送媒体を介して、あるいは伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する媒体のことをいう。
【００６９】
【発明の効果】
以上説明したように、本発明のインテリジェントネットワークにおいては、各サービス制御局（ＳＣＰ）の局データに自局番号を設定し、ルーテイングテーブルにグローバルタイトルに対応してホスト局番号及びメイト局番号を設定し、信号中継局（ＳＴＰ）から受信した信号中のグローバルタイトルを基にルーティングテーブルを検索し、「自局がホスト局、メイト局か、あるいはホスト局でもメイト局でもないか」を判別し、それぞれの場合に応じた処理を行うようにしたので、これにより、サービス制御局（ＳＣＰ）を、ホスト局及びメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に応じた呼処理と信号ルーティングを適切に行える。そのため、インテリジェントネットワークを効果的に構築できる。また、インテリジェントネットワークにおける呼処理と信号ルーティングが効率的に行える。
【００７０】
また、本発明のインテリジェントネットワークにおいては、交換機からの信号を受信したサービス制御局（ＳＣＰ）は、受信信号のグローバルタイトルを基に、ルーテイングテーブルを検索し、自局番号がホスト局番号と一致した場合は受信信号をホスト局として処理し、メイト局番号と一致した場合は受信信号を対応するホスト局に転送し、また、自局番号がホスト局番号及びメイト局番と一致しない場合は、ホスト局番号に対応するホスト局に信号転送し、転送できなかった場合はメイト局番号に対応するメイト局へ信号転送する。これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合における呼処理と信号ルーティングを適切に行える。このため、インテリジェントネットワークを効果的に構築できる。また、インテリジェントネットワークにおける呼処理と信号ルーティングが効率的に行える。
【００７１】
また、本発明のインテリジェントネットワークにおいては、各サービス制御局（ＳＣＰ）では、グローバルタイトル毎に自由にホスト局番号とメイト局番号を設定できるようにし、また、グローバルタイトルをキーとして各局共通のルーテイングテーブルを検索し、ホスト局番号とメイト局番号を導出できるようにしたので、これにより、ホスト局とメイト局の間の対応関係には制約がなくなり、グローバルタイトル毎に加入者データの配備先を自由に決定でき、Ｍ台のホスト局の加入者データ（メイト）をＮ台のメイト局でバックアップする「Ｍ：Ｎ構成」が可能になる。従って、ネットワーク上でのホスト局とメイト局の構成の自由度が高まる。また、インテリジェントネットワークを効果的に構築できる。またさらに、インテリジェントネットワークにおける呼処理と信号ルーティングが効率的に行える。
【００７２】
また、本発明のサービス制御局（ＳＣＰ）においては、交換機からの送信信号を受信したサービス制御局（ＳＣＰ）は、受信信号のグローバルタイトルを基に、ルーテイングテーブルを検索し、そのグローバルタイトルに対応しているホスト局番号とメイト局番号を導出し、自局番号がホスト局番号と一致した場合は受信信号をホスト局として処理し、自局番号がメイト局番号と一致した場合は受信した信号をメイト局として処理する。また、自局番号がホスト局番号及びメイト局番と一致しない場合はそれに対応した処理を行うようにしたので、これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に対応した呼処理と信号ルーティングを適切に行える。このため、サービス制御局（ＳＣＰ）とインテリジェントネットワークにおける呼処理と信号ルーティングが効率的に行えるようになる
【００７３】
また、本発明のインテリジェントネットワークにおける呼処理と信号ルーティング方法においては、各サービス制御局（ＳＣＰ）の局データに自局番号を設定し、ルーテイングテーブルにグローバルタイトルに対応してホスト局番号及びメイト局番号を設定し、信号中継局（ＳＴＰ）から受信した信号中のグローバルタイトルを基にルーティングテーブルを検索し、「自局がホスト局、メイト局か、あるいはホスト局でもメイト局でもないか」を判別し、それぞれの場合に応じた処理を行うようにしたので、これにより、サービス制御局（ＳＣＰ）をホスト局及びメイト局として機能する二重化構成にすることに加えて、さらに、サービス制御局（ＳＣＰ）では、受信信号に対し自局が「ホスト局か、メイト局か、そのいずれでもない」と判断された場合に、それぞれの場合に応じた呼処理と信号ルーティングを適切に行える。そのため、インテリジェントネットワークを効果的に構築できる。また、インテリジェントネットワークにおける呼処理と信号ルーティングが効率的に行える。
【００７４】
また、本発明のインテリジェントネットワークにおける呼処理と信号ルーティング方法においては、交換機からの信号を受信したサービス制御局（ＳＣＰ）は、受信信号のグローバルタイトルを基に、ルーテイングテーブルを検索し、自局番号がホスト局番号と一致した場合は受信信号をホスト局として処理し、メイト局番号と一致した場合は受信信号を対応するホスト局に転送し、また、自局番号がホスト局番号及びメイト局番と一致しない場合は、ホスト局番号に対応するホスト局に信号転送し、転送できなかった場合はメイト局番号に対応するメイト局へ信号転送する。これにより、サービス制御局（ＳＣＰ）をホスト局とメイト局として機能する二重化構成にすることに加えて、さらにサービス制御局（ＳＣＰ）では、受信信号に対し自局が「ホスト局か、メイト局か、そのいずれでもない」と判断された場合に、それぞれの場合に対応した呼処理と信号ルーティングを適切に行うことができる。このため、インテリジェントネットワークを効果的に構築できる。また、インテリジェントネットワークにおける呼処理と信号ルーティングが効率的に行える。
【図面の簡単な説明】
【図１】本発明によるインテリジェントネットワークの構成例を示す図である。
【図２】インテリジェントネットワークを構成する各システムの機能構成例を示す図である。
【図３】サービス制御局（ＳＣＰ）の構成例を示す図である。
【図４】加入者データベースの例を示す図である。
【図５】局データの例を示す図である。
【図６】ルーティングテーブルの例を示す図である。
【図７】受信信号をホスト局として処理する場合の動作を示す図である。
【図８】受信信号をホスト局として処理する場合のサービス制御局（ＳＣＰ）における動作を示す図である。
【図９】受信信号をメイト局として処理する場合の動作を示す図である。
【図１０】受信信号をメイト局として処理する場合のサービス制御局（ＳＣＰ）における動作を示す図である。
【図１１】ホスト局及びメイト局以外と判断された場合の動作を示す図である。
【図１２】ホスト局及びメイト局以外と判断された場合のサービス制御局（ＳＣＰ）における動作を示す図である。
【図１３】ホスト局とメイト局のＭ：Ｎの構成例を示す図である。
【符号の説明】
１  共通線信号網
１０  交換機
１１  信号ルーティング番号設定機能
１２  信号中継局（ＳＴＰ）
１３  信号ルーティング番号翻訳機能
１４  サービス制御局（ＳＣＰ）
１５  信号ルーティング機能
１５ａ  ルーティングテーブル検索機能
１５ｂ  局番号比較機能
１５ｃ  信号処理方法判断機能
１５ｄ  信号転送機能
１６  呼処理機能
２０  データベース
２１、２１ａ、４１  ルーティングテーブル
２２、２２ａ  加入者データベース
２３、２３ａ  局データ
３１、３１ａ  加入者データ（ホスト）
３２、３２ａ  加入者データ（メイト）
１１０  処理プログラム部
１１１  データベース検索処理部
１１２  局番号比較処理部
１１３  信号処理方法判断処理部
１１４  信号転送処理部
１１５  呼処理部
１１６  データベース登録処理部
【図１】
0003568921.tif 000002
【図２】
0003568921.tif 000003
【図３】
0003568921.tif 000004
【図４】
0003568921.tif 000005
【図５】
0003568921.tif 000006
【図６】
0003568921.tif 000007
【図７】
0003568921.tif 000008
【図８】
0003568921.tif 000009
【図９】
0003568921.tif 000010
【図１０】
0003568921.tif 000011
【図１１】
0003568921.tif 000012
【図１２】
0003568921.tif 000013
【図１３】
0003568921.tif 000014